Podtech/llm-jp-corpus-v4-ja_patent huggingface dataset:
【手続補正書】
【提出日】平成18年9月12日(2006.9.12)
【手続補正１】
【補正対象書類名】特許請求の範囲
【補正対象項目名】全文
【補正方法】変更
【補正の内容】
【特許請求の範囲】
【請求項１】
それぞれ複数の第１の薬剤が一端側から他端側に向けて整列状態で配置された複数の第１の容器と、前記各第１の容器の他端側から前記第１の薬剤を一つずつ取り出す第１の払出し機構とを備える、第１の薬剤払出し部と、
それぞれ複数の第２の薬剤を非整列状態で収容された複数の第２の容器と、前記各第２の容器から第２の薬剤を一つずつ取り出す第２の払出し機構とを備える、第２の薬剤払出し部と、
複数の第３の薬剤が縦方向に積層された状態で収容される薬剤収容部と、この薬剤収容部の下端開口に配置され、かつ前記薬剤収容部に収容された第３の薬剤のうち最も下側のものを一つずつ排出する排出機構とを備える、第３の薬剤払出し部と
前記第１から第３の薬剤払出し部から払い出された薬剤を薬剤蓄積部へ搬送する搬送部と
を備えることを特徴とする、薬剤払出し装置。
【請求項２】
前記第１の薬剤払出し部と前記第２の薬剤払出し部とは縦方向に並んで配置され、
前記第３の薬剤払出し部は前記第１の薬剤払出し部よりも下側に、かつ前記第２の払出し部と横方向に並んで配置され、
前記薬剤蓄積部は前記第２及び第３の薬剤払出し部よりも下側に配置され、かつ
前記搬送部は、
前記第１及び第２の薬剤払出し部よりも背面側で縦方向に延びるガイドに沿って昇降可能であって、前記第１及び第２の薬剤払出し部から払い出された前記薬剤を排出可能に回収するリフターと、
前記第２及び第３の薬剤払出し部の下側に配置され、その下流側に前記薬剤蓄積部が位置している第１の搬送路と、
前記リフターの下側に配置され、その下流側が前記第１の搬送路の上流側と合流する第２の搬送路と、
上流側が前記第３の薬剤払出し部の前記排出機構の下側に位置し、前記装置本体の背面側へ延びる少なくとも一つの第３の搬送路と、
その上流側に前記第３の搬送路が合流し、その下流側が前記第１の搬送路の上流側と合流する第４の搬送路と
を備えることを特徴とする、請求項１に記載の薬剤払出し装置。
【手続補正２】
【補正対象書類名】明細書
【補正対象項目名】０００７
【補正方法】変更
【補正の内容】
【０００７】
前記従来の薬剤払出し装置における問題に鑑み、本発明は、効率的な薬剤の払出しを実現する薬剤払出し装置を提供することを課題とする。詳細には、本発明は形態の異なる種々の薬剤の払出しを単一の装置で実行可能とすることを課題とする。
【手続補正３】
【補正対象書類名】明細書
【補正対象項目名】０００８
【補正方法】変更
【補正の内容】
【０００８】
前記課題を解決するために、本発明は、いわゆる整列収容型の薬剤払出し装置、ランダム収容型の薬剤払出し装置、及び特殊薬剤用の薬剤払出し装置を一つの装置に組み込んだハイブリット型の薬剤払出し装置を提供する。すなわち、本発明の第１の態様は、それぞれ複数の第１の薬剤が一端側から他端側に向けて整列状態で配置された複数の第１の容器と、前記各第１の容器の他端側から前記第１の薬剤を一つずつ取り出す第１の払出し機構とを備える、第１の薬剤払出し部と、それぞれ複数の第２の薬剤を非整列状態で収容された複数の第２の容器と、前記各第２の容器から第２の薬剤を一つずつ取り出す第２の払出し機構とを備える、第２の薬剤払出し部と、複数の第３の薬剤が縦方向に積層された状態で収容される薬剤収容部と、この薬剤収容部の下端開口に配置され、かつ前記薬剤収容部に収容された第３の薬剤のうち最も下側のものを一つずつ排出する排出機構とを備える、第３の薬剤払出し部と前記第１から第３の薬剤払出し部から払い出された薬剤を薬剤蓄積部へ搬送する搬送部とを備えることを特徴とする、薬剤払出し装置を提供する。具体的には、第１の薬剤払出し部は、装置本体に縦方向に複数段配置された横方向に延びる第１の棚にそれぞれ複数個並んで着脱可能に配置され、かつそれぞれ複数の第１の薬剤が一端側から他端側に一列に並んで配置された第１の容器と、各第１の容器に収容された前記第１の薬剤を前記一端側から前記他端側に向けて付勢する付勢機構と、前記各第１の容器に収容された第１の薬剤のうち最も前記他端側のものを前記第１の容器から一つずつ取り出す第１の払出し機構とを備える。また、第２の薬剤払出し部は、装置本体に縦方向に複数段配置された横方向に延びる第１の棚にそれぞれ複数個並んで着脱可能に配置され、かつそれぞれ複数の第２の薬剤を非整列状態で収容可能な複数の第２の容器と、各第２の容器の底部に設けられ、かつ前記第２の薬剤を前記第２の容器の一端側から他端側に移送する移送機構と、前記各第２の容器の他端側に配置され、かつ前記移送機構により搬送された前記第２の薬剤を収容する一時収容部と、この一時収容部から前記第２の薬剤を一つずつ取り出す第２の払出し機構とを備える。
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】削除
【補正の内容】
【手続補正１５】
【補正対象書類名】明細書
【補正対象項目名】００２３
【補正方法】削除
【補正の内容】
【手続補正１６】
【補正対象書類名】明細書
【補正対象項目名】００２４
【補正方法】削除
【補正の内容】
【手続補正１７】
【補正対象書類名】明細書
【補正対象項目名】００２５
【補正方法】削除
【補正の内容】
【手続補正１８】
【補正対象書類名】明細書
【補正対象項目名】００２６
【補正方法】削除
【補正の内容】
【手続補正１９】
【補正対象書類名】明細書
【補正対象項目名】００２７
【補正方法】変更
【補正の内容】
【００２７】
以上の説明から明らかなように、本発明では、複数のタイプの薬剤供給部を一つの装置に組み込むことで、特殊形態の薬剤を含む種々の薬剤の取り扱いが単一の装置で可能であると共に、薬剤収容の高集積化と薬剤補充作業の労力低減の両方を達成することができる。
【手続補正書】
【提出日】平成18年9月26日(2006.9.26)
【手続補正１】
【補正対象書類名】特許請求の範囲
【補正対象項目名】全文
【補正方法】変更
【補正の内容】
【特許請求の範囲】
【請求項１】
遊技盤を支持する遊技盤取付枠と、
前記遊技盤の前面に形成される遊技領域と、
前記遊技盤取付枠の前面側にて開閉可能となるよう支持され、閉鎖状態において前記遊技領域を視認可能な視認窓と、遊技球を貯留可能な貯留部とを有した前面扉と、
所定の発射位置に置かれる遊技球を打ち出す発射装置と、
打ち出される遊技球を前記遊技盤の盤面上へと案内するためのレール部材と、
前記貯留部から案内される遊技球を前記発射位置へと送る球送り機構とを備えた遊技機において、
金属製素材よりなる所定のベース部材に対し前記発射装置、前記レール部材及び前記球送り機構を組付け一組化するとともに、当該ベース部材を前記遊技盤取付枠の前面側に形成された取付部に対し固定し、
前記前面扉の背面部において前記貯留部に連通する球出口を備え、
前記前面扉の閉時において、前記球出口が前記球送り機構に連通されることを特徴とする遊技機。
【請求項２】
前記球送り機構は、所定のケース部材に収容され一組化された状態で前記ベース部材に対し着脱可能に組付けられていることを特徴とする請求項１に記載の遊技機。
【請求項３】
前記発射装置は、直線往復動し遊技球を打ち出すプランジャが挿通支持されたソレノイドを所定のケース部材に収容した１ユニットのソレノイド式発射装置であって、
前記ケース部材に、所定の締結部材により前記ベース部材に締結される被締結部を備えたことを特徴とする請求項１又は２に記載の遊技機。
【手続補正書】
【提出日】平成18年3月10日(2006.3.10)
【手続補正１】
【補正対象書類名】特許請求の範囲
【補正対象項目名】全文
【補正方法】変更
【補正の内容】
【特許請求の範囲】
【請求項１】
ネットワーク端末のひとつとして接続されると共に公衆網に接続される通信装置であって、
受信したメッセージデータを記憶するメッセージ記憶手段と、
ネットワーク上の配信先端末と該配信先端末への転送条件とを対応付けた変換テーブルを記憶するテーブル記憶手段と、
前記公衆網を介して接続された発信元端末から少なくともひとつ以上の手段に基づいて転送条件を取得する取得手段と、
を備え、
前記取得手段により取得した転送条件と前記変換テーブルとに基づき、該転送条件に対応する配信先端末を特定し、特定した配信先端末に対して前記メッセージ記憶手段に記憶された受信メッセージデータを転送することを特徴とする通信装置。
【手続補正２】
【補正対象書類名】明細書
【補正対象項目名】発明の名称
【補正方法】変更
【補正の内容】
【発明の名称】通信装置
【手続補正３】
【補正対象書類名】明細書
【補正対象項目名】０００１
【補正方法】変更
【補正の内容】
【０００１】
本発明はファクシミリ装置等の通信装置に関する。
【手続補正４】
【補正対象書類名】明細書
【補正対象項目名】００１２
【補正方法】変更
【補正の内容】
【００１２】
本発明は係る事情に鑑みてなされたものであり、ネットワーク上の配信先の指定操作なしに、また、ネットワーク上の配信先を指定するための特殊な通信手順なしに、公衆網上の通信装置からのメッセージデータをネットワーク上の端末に配信することができる通信装置を提供することを目的とする。
【手続補正５】
【補正対象書類名】明細書
【補正対象項目名】００１３
【補正方法】変更
【補正の内容】
【００１３】
請求項１に記載のファクシミリ装置は、ネットワーク端末のひとつとして接続されると共に公衆網に接続される通信装置であって、受信したメッセージデータを記憶するメッセージ記憶手段と、ネットワーク上の配信先端末と該配信先端末への転送条件とを対応付けた変換テーブルを記憶するテーブル記憶手段と、前記公衆網を介して接続された発信元端末から少なくともひとつ以上の手段に基づいて転送条件を取得する取得手段と、を備え、前記取得手段により取得した転送条件と前記変換テーブルとに基づき、該転送条件に対応する配信先端末を特定し、特定した配信先端末に対して前記メッセージ記憶手段に記憶された受信メッセージデータを転送することを特徴とする。
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】変更
【補正の内容】
【００１７】
請求項１に係る発明によれば、ネットワーク上の配信先を指定するための操作なしで、また、ネットワーク上の配信先を指定するための特殊な通信手順なしに、公衆網上の通信装置からのメッセージデータをネットワーク上の端末に配信することが可能となる効果が得られる。
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正書】
【提出日】平成18年1月23日(2006.1.23)
【手続補正１】
【補正対象書類名】特許請求の範囲
【補正対象項目名】請求項１
【補正方法】変更
【補正の内容】
【請求項１】
電話回線を介して音声又はデータの送受信を行う送受信部と、表示部と、前記表示部に表示された表示情報の選択を行う入力部と、受信データを記憶する記憶部と、制御部とを有する携帯電話機であって、
前記送受信部は、電話回線を介して、予め記憶している基本機能及び付加機能とは異なる新たな機能を有するプログラムを受信し、
前記記憶部は、前記受信したプログラムを記憶し、
前記制御部は、前記記憶部に記憶されているプログラムを消去した後に新たなプログラムを前記記憶部に記憶できることを特徴とする携帯電話機。
【手続補正書】
【提出日】平成18年8月18日(2006.8.18)
【手続補正１】
【補正対象書類名】明細書
【補正対象項目名】００１３
【補正方法】変更
【補正の内容】
【００１３】
本縫いミシン１１のヘッド１２には、例えば９本の天秤１３と同数の針棒１４とが配設され、各針棒１４に針１５が取着されている。針１５にはそれぞれ異なる色の上糸が通され、色替え機構（図示略）によって１本の針棒１４を縫製位置に割り出すことで、上糸の色替えが行われる。本縫いミシン１１のベッド１６には下糸ボビンを格納した釜１７が設けられ、天秤１３と針１５と釜１７との協働により加工布４にサテン縫目Ｓ（図３参照）が形成される。
【手続補正２】
【補正対象書類名】明細書
【補正対象項目名】００１５
【補正方法】変更
【補正の内容】
【００１５】
機枠２の片側には、この刺繍機１により加工されるコンビネーション刺繍柄のデータを編集する装置３１が設置されている。このデータ編集装置３１は、図２に示すように、刺繍機１に常設の操作パネル３２に液晶表示部３３とキー操作部３４とＦＤドライブ装置３５と制御装置３６とを備えている。キー操作部３４には複数の画面切換キー３７、カーソル移動キー３８、入力キー３９等が設けられている。制御装置３６にはＣＰＵ４０、ＲＡＭ４１、ＲＯＭ４２、内部記憶装置４３等が設けられている。そして、ＣＰＵ４０がキー操作部３４からの入力に基づいて液晶表示部３３の表示を制御するようになっている。
【手続補正書】
【提出日】平成18年9月22日(2006.9.22)
【手続補正１】
【補正対象書類名】特許請求の範囲
【補正対象項目名】全文
【補正方法】変更
【補正の内容】
【特許請求の範囲】
【請求項１】
絵柄を表示する絵柄表示装置と、
作動条件成立を検出する作動検出手段と、
作動検出手段による作動条件成立を示す検出結果に基づいて、前記絵柄の変動表示を開始させ、予め設定された変動態様に従って変動表示させるとともに予め設定された変動時間の経過後に前記絵柄を停止表示させるように前記絵柄表示装置を表示制御する表示制御手段と
を備え、
前記絵柄表示装置に停止表示された絵柄の組合せが特定絵柄の組合せの場合に遊技者に特典を付与するように構成された遊技機において、
遊技者による特定の操作を検出する操作検出手段と、
前記操作検出手段により遊技者による特定の操作が検出されると、前記絵柄の組合せを構成するうちの所定の絵柄について強制停止表示させ、その他の絵柄については特定の時間短縮演出表示を実行するよう前記絵柄表示装置を表示制御する変動表示変更手段と
を備えたことを特徴とする遊技機。
【請求項２】
絵柄を表示する絵柄表示装置と、
作動条件成立を検出する作動検出手段と、
作動検出手段による作動条件成立を示す検出結果に基づいて、前記絵柄の変動表示を開始させ、予め設定された変動態様に従って変動表示させるとともに予め設定された変動時間の経過後に前記絵柄を停止表示させるように前記絵柄表示装置を表示制御する表示制御手段と
を備え、
前記絵柄表示装置に停止表示された絵柄の組合せが特定絵柄の組合せの場合に遊技者に特典を付与するように構成された遊技機において、
遊技者による特定の操作を検出する操作検出手段と、
前記操作検出手段により遊技者による特定の操作が検出されると、前記絵柄の組合せを構成するうちの所定の絵柄について強制停止表示させ、その他の複数の絵柄については特定の時間短縮演出表示を実行するよう前記絵柄表示装置を表示制御する変動表示変更手段と
を備えたことを特徴とする遊技機。
【請求項３】
絵柄を表示する絵柄表示装置と、
作動条件成立を検出する作動検出手段と、
作動検出手段による作動条件成立を示す検出結果に基づいて、前記絵柄の変動表示を開始させ、予め設定された変動態様に従って変動表示させるとともに予め設定された変動時間の経過後に前記絵柄を停止表示させるように前記絵柄表示装置を表示制御する表示制御手段と
を備え、
前記絵柄表示装置に停止表示された絵柄の組合せが特定絵柄の組合せの場合に遊技者に特典を付与するように構成された遊技機において、
前記変動態様として、変動表示の開始後にリーチ前変動を行い、その後リーチ変動を行い、最後に停止表示を行うことにより変動表示を停止させる特定変動態様が設定されており、
さらに、遊技者による特定の操作を検出する操作検出手段と、
前記特定変動態様による変動表示の際に前記操作検出手段により遊技者による特定の操作が検出されると、前記絵柄の組合せを構成するうちの所定の絵柄について強制停止表示させ、その他の複数の絵柄については特定の時間短縮演出表示を前記リーチ変動表示を含めて実行するよう前記絵柄表示装置を表示制御する変動表示変更手段と
を備えたことを特徴とする遊技機。
【請求項４】
絵柄を表示する絵柄表示装置と、
作動条件成立を検出する作動検出手段と、
作動検出手段による作動条件成立を示す検出結果に基づいて、通常遊技よりも遊技者に有利な特別遊技の抽選を実行する特別遊技抽選手段と、
前記特別遊技抽選手段の抽選の結果が当選の場合には特別遊技を発生させる特別遊技発生手段と、
作動検出手段による作動条件成立を示す検出結果に基づいて、前記絵柄の変動表示を開始させ、予め設定された変動態様に従って変動表示させた後にその変動表示を終了させ、さらに前記当選の場合には変動表示の終了の際に特定絵柄を表示するように前記絵柄表示装置を表示制御する表示制御手段と
を備えた遊技機において、
特別遊技として有利度合いが異なる第１特別遊技と第２特別遊技とが設定されているとともに、第１特別遊技に対応して前記特定絵柄のうち第１特定絵柄が変動表示の終了の際に停止表示され、第２特別遊技に対応して前記特定絵柄のうち第２特定絵柄が変動表示の終了の際に停止表示されるように設定されており、また、前記当選の場合における少なくとも一部の表示態様として変動表示の終了の前段階で第１特定絵柄が一旦停止表示された後に第１特定絵柄又は第２特定絵柄が変動表示の終了時の絵柄となるように再変動表示が行われるように設定されており、
さらに、遊技者による特定の操作を検出する操作検出手段と、
前記再変動表示を含む変動表示の際に前記操作検出手段により遊技者による特定の操作が検出されると、前記絵柄の組合せを構成するうちの所定の絵柄について強制停止表示させ、その他の絵柄については特定の時間短縮演出表示を前記再変動表示を含めて実行するよう前記絵柄表示装置を表示制御する変動表示変更手段と
を備えたことを特徴とする遊技機。
【請求項５】
前記変動表示変更手段は、前記所定の絵柄が前記強制停止表示された状態の絵柄を維持したまま今回の変動表示回を終了するように表示制御することを特徴とする請求項１乃至４のいずれかに記載の遊技機。
【請求項６】
前記所定の絵柄が、複数種の絵柄から選択される絵柄であってかつ選択される絵柄のいずれもが前記その他の絵柄との関係でみて常に特定絵柄の組合せを構成し得る絵柄として設定されていることを特徴とする請求項１乃至５のいずれかに記載の遊技機。
【請求項７】
前記変動表示変更手段は、前記所定の絵柄の強制停止表示後に、前記その他の絵柄の時間短縮演出表示を実行するように前記絵柄表示装置を表示制御することを特徴とする請求項１乃至６のいずれかに記載の遊技機。
【請求項８】
前記表示制御手段は前記所定の絵柄を他の絵柄の全部若しくは一部が一旦停止表示された後に停止表示されるように前記絵柄表示装置を表示制御するものであることを特徴とする請求項１乃至７のいずれかに記載の遊技機。
【請求項９】
前記所定の絵柄の変動表示中を前記操作検出手段の検出有効期間として設定したことを特徴とする請求項８に記載の遊技機。
【手続補正書】
【提出日】平成18年2月22日(2006.2.22)
【手続補正１】
【補正対象書類名】特許請求の範囲
【補正対象項目名】全文
【補正方法】変更
【補正の内容】
【特許請求の範囲】
【請求項１】
HLAクラスI及びクラスIIに属する各遺伝子座の少なくとも一つの遺伝子座について、その塩基配列情報に基づいてHLA型を判定する方法において、
a)既知のHLAの塩基配列データを基に予め予測される全対立遺伝子の組み合わせを記載したデータベースを作成するデータベース作成ステップと、
b)検体の該当遺伝子座の少なくとも一部の塩基配列をシーケンスによって決定する塩基配列決定ステップと、
c)その塩基配列をデータベース中の個々の配列に一致する部分について１塩基ずつ比較を行い、不一致の数が少ない対立遺伝子の組み合わせを検体の遺伝子型の候補として抽出する配列検索ステップと、
d)不一致の数が最も少ない対立遺伝子の組み合わせをその遺伝子座のHLA型として決定する型判定ステップと、
を有することを特徴とするHLAタイピング法。
【請求項２】
上記データベース作成ステップにおいて、既知のHLAの塩基配列データから目的の遺伝子座に相当する遺伝子の配列を並べ、塩基が未決定の領域があっても削除することなく塩基配列データの掛け合わせを行うことを特徴とする請求項１に記載のHLAタイピング法。
【請求項３】
更に、上記塩基配列決定ステップにより決定された塩基配列の個々の塩基について、シーケンス確度を表す指標値を付与する指標値付与ステップと、不一致部分の指標値や、配列全体の指標値の平均からタイピング結果の信頼度を客観的に評価する精度評価ステップを有することを特徴とする請求項１又は２に記載のHLAタイピング法。
【請求項４】
上記配列検索ステップにおいて、既存のホモロジー検索プログラム、これらの改良プログラム、又はこれらアルゴリズムに相当するプログラムのいずれかを使用し、上記精度評価ステップにおいて、最も有意なアライメント部分における不一致の数とそれぞれの位置を測定してタイピングの結果を評価することを特徴とする請求項３に記載のHLAタイピング法。
【請求項５】
更に、複数の候補があった場合にその検体の情報をコメントとして入力し、事前にデータベース化された人種や地域等によって偏るアリル頻度に基づく意味づけや、アミノ酸配列に翻訳した場合の情報などを基に型の絞り込みを行う絞り込みステップを有することを特徴とする請求項１〜４のいずれかに記載のHLAタイピング法。
【請求項６】
請求項１又は２に記載のデータベース作成ステップをコンピュータに実行させるためのプログラム。
【請求項７】
請求項１又は４に記載の配列検索ステップ及び型判定ステップをコンピュータに実行させるためのプログラム。
【請求項８】
更に、請求項３又は４に記載の指標値付与ステップ、精度評価ステップをコンピュータに実行させるための請求項７に記載のプログラム。
【請求項９】
更に、請求項５に記載の絞り込みステップをコンピュータに実行させるための請求項７又は８に記載のプログラム。
【手続補正２】
【補正対象書類名】明細書
【補正対象項目名】発明の名称
【補正方法】変更
【補正の内容】
【発明の名称】HLAタイピング法及びプログラム
【手続補正３】
【補正対象書類名】明細書
【補正対象項目名】００１５
【補正方法】変更
【補正の内容】
【００１５】
更に、絞り込みステップを設け、HLA型の候補として複数の組み合わせデータが検出された場合には、人種や地域等、検体の由来に関する情報を入力し、予めデータベース化された人種や地域等によって偏るアリル頻度に基づく意味づけや、アミノ酸配列に翻訳した場合の情報を基に結果の絞り込みを行うようにしても良い。これにより、従来は専門知識を基に人が行っていた型の絞り込みを、コンピュータプログラムによって自動的に行うことができ、専門知識を持たない人でもHLAタイピングが行えるようになる。
【手続補正書】
【提出日】平成18年6月6日(2006.6.6)
【手続補正１】
【補正対象書類名】特許請求の範囲
【補正対象項目名】請求項１
【補正方法】変更
【補正の内容】
【請求項１】
エチレンから誘導される構成単位と炭素数４〜２０のα−オレフィンから誘導される構成単位を含むエチレン−α−オレフィン共重合であって、ゲルパーミエーションクロマトグラフィー測定によって得られる鎖長分布から算出されるＱ値が３以上であって、メルトフローレート（ＭＦＲ；単位はｇ／１０分である。）と１９０℃における溶融張力（ＭＴ；単位はｃＮである。）とが下記式（１）の関係を満たし、極限粘度（［η］；単位はｄｌ／ｇである。）と前記ＭＦＲとが下記式（２）の関係を満たすエチレン−α−オレフィン共重合体からなる層（Ｘ）を有することを特徴とする農業用フィルム。
２×ＭＦＲ-0.59＜ＭＴ＜２０×ＭＦＲ-0.59  式（１）
１．０２×ＭＦＲ-0.094＜［η］＜１．５０×ＭＦＲ-0.156  式（２）
【手続補正２】
【補正対象書類名】明細書
【補正対象項目名】０００７
【補正方法】変更
【補正の内容】
【０００７】
すなわち本発明は、エチレンから誘導される構成単位と炭素数４〜２０のα−オレフィンから誘導される構成単位を含むエチレン−α−オレフィン共重合であって、ゲルパーミエーションクロマトグラフィー測定によって得られる鎖長分布から算出されるＱ値が３以上であって、メルトフローレート（ＭＦＲ；単位はｇ／１０分である。）と１９０℃における溶融張力（ＭＴ；単位はｃＮである。）とが下記式（１）の関係を満たし、極限粘度（［η］；単位はｄｌ／ｇである。）と前記ＭＦＲとが下記式（２）の関係を満たすエチレン−α−オレフィン共重合体からなる層（Ｘ）を有することを特徴とする農業用フィルムを提供するものである。
２×ＭＦＲ-0.59＜ＭＴ＜２０×ＭＦＲ-0.59  式（１）
１．０２×ＭＦＲ-0.094＜［η］＜１．５０×ＭＦＲ-0.156  式（２）
【手続補正書】
【提出日】平成18年11月10日(2006.11.10)
【手続補正１】
【補正対象書類名】特許請求の範囲
【補正対象項目名】請求項２
【補正方法】変更
【補正の内容】
【請求項２】
被写体像を撮像する撮像ステップと、
前記撮像ステップで撮像した画像を表示手段により表示する表示ステップと、
静止画像の撮像／記録を開始させるスイッチの動作に基づき前記撮像ステップで撮像し
た第１の画像を記録するように制御する制御ステップと、
前記スイッチの動作前に前記表示手段がオンとなっており且つ前記表示手段に前記撮像
ステップで得られた第２の画像が表示される場合は前記第１の画像及び前記第２の画像に
基づき得られたホワイトバランス補正のためのデ−タを用いて前記第１の画像を補正し且
つ前記スイッチの動作前に前記表示手段がオフとなっている場合は前記第１の画像に基づ
き得られたホワイトバランス補正のためのデータを用いて前記第１の画像をホワイトバラ
ンス補正する補正ステップと
を有することを特徴とする撮像方法。
【手続補正書】
【提出日】平成18年8月30日(2006.8.30)
【手続補正１】
【補正対象書類名】特許請求の範囲
【補正対象項目名】全文
【補正方法】変更
【補正の内容】
【特許請求の範囲】
【請求項１】
Ｌチャネル信号、Ｒチャネル信号及びパイロット信号からステレオコンポジット信号に変換する手段を備え、周波数変調手段で搬送波が前記ステレオコンポジット信号により周波数変調された変調波を送信するＦＭステレオ送信機において、
固定の発振周波数の水晶発振器を設け、該水晶発振器から３８ｋＨｚの信号を生成する手段を設け、３８ｋＨｚの信号をマルチプレクサの副搬送波として用い、かつ、前記発振周波数から前記パイロット信号を生成し、一方、前記周波数変調手段では前記発振周波数を基準周波数とするＰＬＬ回路を用いて前記搬送波の周波数が制御されることを特徴とするＦＭステレオ送信機。
【請求項２】
前記Ｌチャネル信号と前記Ｒチャネル信号は、自動車に搭載される音響機器からの音声信号であることを特徴とする請求項１に記載のＦＭステレオ送信機。
【手続補正２】
【補正対象書類名】明細書
【補正対象項目名】００１８
【補正方法】変更
【補正の内容】
【００１８】
上記目的を達成するため、本発明の第１の構成では、Ｌチャネル信号、Ｒチャネル信号及びパイロット信号からステレオコンポジット信号に変換する手段を備え、周波数変調手段で搬送波が前記ステレオコンポジット信号により周波数変調された変調波を送信するＦＭステレオ送信機において、固定の発振周波数の水晶発振器を設け、該水晶発振器から３８ｋＨｚの信号を生成する手段を設け、３８ｋＨｚの信号をマルチプレクサの副搬送波として用い、かつ、前記発振周波数から前記パイロット信号を生成し、一方、前記周波数変調手段では前記発振周波数を基準周波数とするＰＬＬ回路を用いて前記搬送波の周波数が制御されるようにしている。
【手続補正３】
【補正対象書類名】明細書
【補正対象項目名】００１９
【補正方法】変更
【補正の内容】
【００１９】
このような構成によると、３８ｋＨｚが得られるような発振周波数の水晶発振器が設けられ、更に分周することにより、周波数が１９ｋＨｚのパイロット信号となる。このパイロット信号とＬチャネル信号とＲチャネル信号はステレオコンポジット信号に変換する手段により、ステレオコンポジット信号に変換される。
【手続補正書】
【提出日】平成18年9月27日(2006.9.27)
【手続補正１】
【補正対象書類名】特許請求の範囲
【補正対象項目名】請求項２
【補正方法】変更
【補正の内容】
【請求項２】
前記測定して得られた結果と、殺菌処理前の試料を殺菌処理された試料と同様の培養・測定をして得られた結果とを比較する工程をさらに備える請求項１に記載の微生物の殺菌処理効果測定方法。
【手続補正書】
【提出日】平成18年3月30日(2006.3.30)
【手続補正１】
【補正対象書類名】特許請求の範囲
【補正対象項目名】全文
【補正方法】変更
【補正の内容】
【特許請求の範囲】
【請求項１】
ＰＲＥＢ０６９、０９１、０９３及び１０２からなる群より選ばれる遺伝子の核酸配列又はその部分配列からなる、核酸分子。
【請求項２】
請求項１記載の核酸配列又はその部分配列が固定化された、核酸アレイ。
【請求項３】
前記アレイが、メンブレン、プラスチック、ガラスからなる群より選ばれる支持体上に構築される、請求項２記載の核酸アレイ。
【請求項４】
ＰＲＥＢ０６９、０９１、０９３及び１０２からなる群より選ばれる遺伝子の翻訳産物にそれぞれ特異的に結合する抗体。
【請求項５】
請求項４記載の抗体が固定化された、抗体アレイ。
【請求項６】
前記アレイが、メンブレン、プラスチック、ガラスからなる群より選ばれる支持体上に構築される、請求項５記載の抗体アレイ。
【請求項７】
ＰＲＥＢ０６９、０９１、０９３及び１０２の中から疾患のマーカー遺伝子を探索することを特徴とする、哺乳動物の疾患マーカー遺伝子の探索方法。
【請求項８】
前記疾患が増殖性疾患又は免疫疾患である、請求項７記載の方法。
【請求項９】
前記疾患が糖尿病、肝障害、宿主対移植片反応、慢性関節リウマチ、全身性エリテマトーデス（ＳＬＥ）、自己免疫性血小板減少性紫斑病（ＩＴＰ）、血管炎、高安病、慢性腎炎、クローン病、多発性硬化症、動脈硬化、乾癬、癌、白血病、喘息、皮膚炎、アレルギー疾患からなる群より選ばれる疾患である、請求項７記載の方法。
【請求項１０】
前記遺伝子の発現量を測定することを含む、請求項７〜９のいずれか記載の方法。
【請求項１１】
前記遺伝子の発現量の測定が、該遺伝子の転写産物又は翻訳産物の発現量を測定することによって行なわれるものである、請求項１０記載の方法。
【請求項１２】
核酸アレイ又は抗体アレイを用いる、請求項１１記載の方法。
【請求項１３】
患者から採取されたサンプルと健常人から採取されたサンプルを検体とし、各遺伝子について両サンプル間の発現量の差異を検出し、差異が認められた遺伝子をマーカー遺伝子であると判定することを特徴とする、請求項７〜１２のいずれか記載の方法。
【請求項１４】
前記サンプルが血液である、請求項１３記載の方法。
【請求項１５】
哺乳動物から採取された哺乳動物血液中に存在する細胞を含むサンプルにおいて、ＰＲＥＢ０６９、０９１、０９３及び１０２からなる群より選ばれる遺伝子の発現量を測定することを特徴とする、哺乳動物が疾患に罹患しているか否かの判定方法。
【請求項１６】
哺乳動物から採取されたサンプルにおいて、ＰＲＥＢ０６９、０９１、０９３及び１０２からなる群より選ばれる遺伝子の変異及び／又は多型を検出することを含む、哺乳動物における疾患の有無及び／又は発症リスクの判定方法。
【請求項１７】
哺乳動物血液中に存在する細胞の異常に起因する疾患を治療し得る物質を同定する方法であって、
哺乳動物の血液中に存在する細胞又は当該細胞から誘導された細胞に被験物質を接触させ、ＰＲＥＢ０６９、０９１、０９３及び１０２からなる群より選ばれる遺伝子の発現量を測定し、測定された発現量に基づき、被験物質が当該細胞の異常に起因する疾患を治療し得るか否かを評価することを含む方法。
【請求項１８】
ＰＲＥＢ０６９、０９１、０９３及び１０２からなる群より選ばれる遺伝子の発現量、並びに／又は当該遺伝子の変異及び／若しくは多型について疾患に特有のパターンを見出し、当該パターンが当該疾患の有無及び／又は進行度の診断の指標となり得るか否かを評価し、診断の指標となり得るパターンを診断基準用データとして取得する、診断基準用データの作成方法。
【請求項１９】
哺乳動物血液中に存在する細胞に特異的に発現している遺伝子群である、ＰＲＥＢ０６９、０９１、０９３及び１０２からなる群より選ばれる遺伝子の核酸配列又はその部分配列からなる複数の核酸分子を含む、核酸分子の群。
【請求項２０】
哺乳動物血液中に存在する細胞に特異的に発現している遺伝子群である、ＰＲＥＢ０６９、０９１、０９３及び１０２からなる群より選ばれる遺伝子の翻訳産物にそれぞれ特異的に結合する抗体を含む、抗体の群。
【手続補正書】
【提出日】平成18年2月15日(2006.2.15)
【手続補正１】
【補正対象書類名】特許請求の範囲
【補正対象項目名】全文
【補正方法】変更
【補正の内容】
【特許請求の範囲】
【請求項１】
深海水の脱塩処理により水と濃縮液に分離し、得られた水に対して海水の濃縮液から塩化ナトリウム処理して得られたマグネシウム及びカルシウムからなるミネラル成分を添加したことを特徴とする飲料。
【請求項２】
マグネシウムに対するカルシウムの重量割合（Ｍｇ／Ｃａ）を、４／１から１／３に調整し、ＥＤＴＡ法により測定した硬度を１００から３０００に調整したことを特徴とする請求項１の飲料。
【請求項３】
糖分や酸味料により味の調整がなされたことを特徴とする請求項１又は２に記載の飲料。
【手続補正書】
【提出日】平成18年1月31日(2006.1.31)
【手続補正１】
【補正対象書類名】明細書
【補正対象項目名】特許請求の範囲
【補正方法】変更
【補正の内容】
【特許請求の範囲】
【請求項１】
受信系統からの入力信号が供給される被減算端子および送受アンテナ間の回り込みをキャンセルするための信号が供給される減算端子を有する減算器と、
受信信号を増幅して再送信するための増幅器の入力信号が分岐されて供給され、回り込み信号の複製を発生して前記減算器の減算端子に供給するトランスバーサルフィルタと、
前記増幅器の入力信号が分岐されて供給され、入力信号から前記トランスバーサルフィルタのタップ係数を生成して前記トランスバーサルフィルタに供給することによって、前記トランスバーサルフィルタを制御する第１のフィルタ係数生成回路と、
前記減算器からの信号が入力され、マルチパスによる周波数特性の乱れを等化して前記増幅器、前記トランスバーサルフィルタおよび前記第１のフィルタ係数生成回路に供給するマルチパスキャンセル回路とを具え、
前記マルチパスキャンセル回路の信号通過周波数帯域を、送受アンテナ間を経由する回り込みループおよび回り込みキャンセラ内の前記トランスバーサルフィルタを経由するキャンセルループのいずれの信号通過帯域幅をも超えないように設定したことを特徴とする回り込みキャンセラ。
【請求項２】
請求項１記載の回り込みキャンセラにおいて、前記マルチパスキャンセル回路は、係数書き替えの可能な適応フィルタによって構成され、第２のフィルタ係数生成回路において検出した親局波のマルチパスによる周波数特性の乱れに基づいて前記適応フィルタの係数を書き替えることにより、マルチパスをキャンセルするようにしたことを特徴とする回り込みキャンセラ。
【請求項３】
請求項２記載の回り込みキャンセラにおいて、前記第２のフィルタ係数生成回路に前記第１のフィルタ係数生成回路を共用したことを特徴とする回り込みキャンセラ。
【請求項４】
請求項１乃至３のいずれか１項記載の回り込みキャンセラにおいて、前記第１のフィルタ係数生成回路は、ＩＳＤＢ−ＴまたはＤＶＢ−Ｔ方式における隣隣接するシンボルを抽出し、該抽出した隣隣接するシンボルをシンボル方向に内挿することで時間間隔が半減したＳＰ信号を得て、該得られたＳＰ信号からインパルス応答を求めるように構成されていることを特徴とする回り込みキャンセラ。
【請求項５】
請求項１乃至４のいずれか１項記載の回り込みキャンセラを用いたＯＦＤＭ信号の中継局が複数段にわたって設置される多段中継方式において、それぞれの中継局においては、ＯＦＤＭ信号のシンボル番号を検出する回路と、中継段数に応じてどのタイミングで前記適応フィルタの係数更新を行うかを設定する係数更新タイミング設定回路とを具え、前記第２のフィルタ係数生成回路が、前段の中継局における係数更新のタイミングとは異なるタイミングで前記適応フィルタの係数を更新するようにしたことを特徴とする多段中継方式。
【手続補正２】
【補正対象書類名】明細書
【補正対象項目名】００１４
【補正方法】変更
【補正の内容】
【００１４】
上記目的を達成するために、本発明回り込みキャンセラは、受信系統からの入力信号が供給される被減算端子および送受アンテナ間の回り込みをキャンセルするための信号が供給される減算端子を有する減算器と、受信信号を増幅して再送信するための増幅器の入力信号が分岐されて供給され、回り込み信号の複製を発生して前記減算器の減算端子に供給するトランスバーサルフィルタと、前記増幅器の入力信号が分岐されて供給され、入力信号から前記トランスバーサルフィルタのタップ係数を生成して前記トランスバーサルフィルタに供給することによって、前記トランスバーサルフィルタを制御する第１のフィルタ係数生成回路と、前記減算器からの信号が入力され、マルチパスによる周波数特性の乱れを等化して前記増幅器、前記トランスバーサルフィルタおよび前記第１のフィルタ係数生成回路に供給するマルチパスキャンセル回路とを具え、前記マルチパスキャンセル回路の信号通過周波数帯域を、送受アンテナ間を経由する回り込みループおよび回り込みキャンセラ内の前記トランスバーサルフィルタを経由するキャンセルループのいずれの信号通過帯域幅をも超えないように設定したことを特徴とするものである。
【手続補正３】
【補正対象書類名】明細書
【補正対象項目名】００１７
【補正方法】変更
【補正の内容】
【００１７】
また、本発明回り込みキャンセラは、前記第１のフィルタ係数生成回路が、ＩＳＤＢ−ＴまたはＤＶＢ−Ｔ方式における隣隣接するシンボルを抽出し、該抽出した隣隣接するシンボルをシンボル方向に内挿することで時間間隔が半減したＳＰ信号を得て、該得られたＳＰ信号からインパルス応答を求めるように構成されていることを特徴とするものである。
【手続補正４】
【補正対象書類名】明細書
【補正対象項目名】００３９
【補正方法】変更
【補正の内容】
【００３９】
図５は、隣隣接する（間１つおいて隣接するの意味）２シンボルを抽出することにより、ＳＰ信号の内挿が行えることを示している。まず、ＯＦＤＭ信号から隣隣接する２シンボルを抽出する。次に、抽出した２シンボルをシンボル方向に内挿して１シンボルにまとめると、６キャリアごとにＳＰ信号が配置された信号が得られる。
【手続補正５】
【補正対象書類名】図面
【補正対象項目名】図５
【補正方法】変更
【補正の内容】
【図５】
2003174430.tif 000001
【手続補正書】
【提出日】平成18年2月15日(2006.2.15)
【手続補正１】
【補正対象書類名】明細書
【補正対象項目名】発明の名称
【補正方法】変更
【補正の内容】
【発明の名称】半導体装置の作製方法
【手続補正２】
【補正対象書類名】明細書
【補正対象項目名】特許請求の範囲
【補正方法】変更
【補正の内容】
【特許請求の範囲】
【請求項１】
基板上に窒化物層を形成し、
前記窒化物層上に酸化物層を形成し、
前記酸化物層上に絶縁層を形成し、
前記絶縁層上に素子を形成し、
前記素子に支持体を接着した後、該支持体を基板から物理的手段により前記酸化物層の層内または界面において剥離し、
前記絶縁層または前記酸化物層に転写体を接着し、前記支持体と前記転写体との間に前記素子を挟むことを特徴とする半導体装置の作製方法。
【請求項２】
基板上に窒化物層を形成し、
前記窒化物層上に粒状の酸化物を形成し、
前記酸化物を覆う酸化物層を形成し、
前記酸化物層上に絶縁層を形成し、
前記絶縁層上に素子を形成し、
前記素子に支持体を接着した後、該支持体を基板から物理的手段により前記酸化物層の層内または界面において剥離し、
前記絶縁層または前記酸化物層に転写体を接着し、前記支持体と前記転写体との間に前記素子を挟むことを特徴とする半導体装置の作製方法。
【請求項３】
基板上に金属材料を含有する層を形成し、
前記金属材料を含有する層上に酸化物層を形成し、
前記酸化物層上に絶縁層を形成し、
前記絶縁層上に素子を形成し、
前記素子に支持体を接着した後、該支持体を基板から物理的手段により前記酸化物層の層内または界面において剥離し、
前記絶縁層または前記酸化物層に転写体を接着し、前記支持体と前記転写体との間に前記素子を挟むことを特徴とする半導体装置の作製方法。
【請求項４】
基板上に金属材料を含有する層を形成し、
前記金属材料を含有する層上に粒状の酸化物を形成し、
前記酸化物を覆う酸化物層を形成し、
前記酸化物層上に絶縁層を形成し、
前記絶縁層上に素子を形成し、
前記素子に支持体を接着した後、該支持体を基板から物理的手段により前記酸化物層の層内または界面において剥離し、
前記絶縁層または前記酸化物層に転写体を接着し、前記支持体と前記転写体との間に前記素子を挟むことを特徴とする半導体装置の作製方法。
【請求項５】
請求項１乃至４のいずれか一において、前記支持体は、フィルム基板または基材であることを特徴とする半導体装置の作製方法。
【請求項６】
請求項１乃至５のいずれか一において、前記転写体は、フィルム基板または基材であることを特徴とする半導体装置の作製方法。
【請求項７】
請求項５または請求項６において、前記フィルム基板上に第１の絶縁膜と第２の絶縁膜と第３の絶縁膜とを有し、前記第１の絶縁膜と前記第３の絶縁膜との間に挟まれる前記第２の絶縁膜は、前記第１の絶縁膜および前記第３の絶縁膜より膜応力が小さいことを特徴とする半導体装置の作製方法。
【請求項８】
請求項１乃至７のいずれか一において、前記支持体を接着する前に、加熱処理またはレーザー光の照射を行う処理を施すことを特徴とする半導体装置の作製方法。
【請求項９】
請求項１乃至８のいずれか一において、前記物理的手段により剥離する前に、加熱処理またはレーザー光の照射を行う処理を施すことを特徴とする半導体装置の作製方法。
【請求項１０】
請求項１乃至９のいずれか一において、前記素子は、薄膜トランジスタであることを特徴とする半導体装置の作製方法。
【請求項１１】
請求項１乃至９のいずれか一において、前記支持体は対向基板であって、前記素子は画素電極を有しており、該画素電極と、前記対向基板との間には液晶材料が充填されていることを特徴とする半導体装置の作製方法。
【請求項１２】
基板上に金属材料を含有する層を形成し、
前記金属材料を含有する層上に酸化物層を形成し、
前記酸化物層上に絶縁層を形成し、
前記絶縁層上に素子を形成し、
基板から物理的手段により前記酸化物層の層内または界面において剥離し、
前記絶縁層または酸化物層に第１の転写体を接着し、
前記素子に第２の転写体を接着し、前記第１の転写体と前記第２の転写体の間に前記素子を挟むことを特徴とする半導体装置の作製方法。
【請求項１３】
請求項３乃至１２のいずれか一において、前記金属材料を含有する層は、窒化物であることを特徴とする半導体装置の作製方法。
【請求項１４】
請求項３乃至１３のいずれか一において、前記金属材料は、Ｔｉ、Ａｌ、Ｔａ、Ｗ、Ｍｏ、Ｃｕ、Ｃｒ、Ｎｄ、Ｆｅ、Ｎｉ、Ｃｏ、Ｚｒ、Ｚｎ、Ｒｕ、Ｒｈ、Ｐｄ、Ｏｓ、Ｉｒ、Ｐｔから選ばれた元素、または前記元素を主成分とする合金材料若しくは化合物材料からなる単層、またはこれらの金属または混合物の積層であることを特徴とする半導体装置の作製方法。
【請求項１５】
基板上に窒化物層を形成し、
前記窒化物層上に酸化物層を形成し、
前記酸化物層上に絶縁層を形成し、
前記絶縁層上に素子を形成し、
基板から物理的手段により前記酸化物層の層内または界面において剥離し、
前記絶縁層または酸化物層に第１の転写体を接着し、
前記素子に第２の転写体を接着し、前記第１の転写体と前記第２の転写体の間に前記素子を挟むことを特徴とする半導体装置の作製方法。
【請求項１６】
請求項１２乃至１５のいずれか一において、前記物理的手段により剥離する前に、加熱処理またはレーザー光の照射を行う処理を施すことを特徴とする半導体装置の作製方法。
【請求項１７】
請求項１乃至１６のいずれか一において、前記酸化物層は、酸化シリコン材料または酸化金属材料からなる単層、またはこれらの積層であることを特徴とする半導体装置の作製方法。
【手続補正書】
【提出日】平成18年6月2日(2006.6.2)
【手続補正１】
【補正対象書類名】特許請求の範囲
【補正対象項目名】全文
【補正方法】変更
【補正の内容】
【特許請求の範囲】
【請求項１】
光源からの光がレンズと入射側偏光板を通して液晶パネルモジュールに入射し、前記出射側偏光板を介してスクリーン上に画像を投影する液晶表示装置において、
前記液晶パネルの光入射面と出射面の両面若しくは片面に前記液晶パネルの光透過領域よりも大きく、かつ光透過性を有する熱伝導部材を接触させ、前記液晶パネルを冷却することを特徴とする液晶表示装置。
【請求項２】
請求項１記載の液晶表示装置において、
前記熱伝導部材の周囲に冷却媒体の流路を内部に有する冷却ジャケットを備えたことを特徴とする液晶表示装置。
【請求項３】
請求項１記載の液晶表示装置において、
前記熱伝導部材の前記液晶パネルの光透過領域を除く周囲領域に、冷却媒体を流すための流路を設けたことを特徴とする液晶表示装置。
【請求項４】
請求項１から請求項３のいずれかに記載の液晶表示装置において、
前記液晶パネル部と、放熱部間に冷却媒体を循環させるためのポンプが配管接続され、前記放熱部を空冷することを特徴とする液晶表示装置。
【請求項５】
請求項１記載の液晶表示装置において、
前記熱伝導部材の前記液晶パネルの光透過領域を除く領域に冷却用の複数枚のフィンを形成したことを特徴とする液晶表示装置。
【請求項６】
請求項１から５のいずれかに記載の液晶表示装置において、
前記熱伝導部材の表面に偏光膜を付加したことを特徴とする液晶表示装置。
【請求項７】
請求項２記載の液晶表示装置において、
前記冷却ジャケットと、前記熱伝導部材が高熱伝導率を有する接着材で接着されていることを特徴とする液晶表示装置。
【請求項８】
請求項２記載の液晶冷却ユニットにおいて、
前記冷却ジャケットと、前記熱伝導部材が高熱伝導率物質層を介在させて接触していることを特徴とする液晶表示装置。
【請求項９】
請求項８記載の液晶表示装置において、
前記高熱伝導率物質層が、シリコングリスまたはカーボンシートであることを特徴とする液晶表示装置。
【請求項１０】
請求項１から９のいずれかに記載の液晶表示装置において、
前記液晶パネルと、前記熱伝導部材の接触部に光透過性で空気より高熱伝導率な物質を介在させたことを特徴とする液晶表示装置。
【請求項１１】
請求項１０記載の液晶表示装置において、
前記空気よりも高熱伝導率な物質が、シリコンオイル、シリコングリス、水、またはこれらの混合物若しくは透明プラスチックであることを特徴とする液晶表示装置。
【請求項１２】
請求項１から９のいずれかに記載の液晶表示装置において、
前記熱伝導部材の材質がサファイヤ若しくは水晶であることを特徴とする液晶表示装置。
【請求項１３】
請求項２記載の液晶表示装置において、
前記冷却ジャケットがアルミニウム若しくは銅で形成されていることを特徴とする液晶表示装置。
【手続補正２】
【補正対象書類名】明細書
【補正対象項目名】００１３
【補正方法】変更
【補正の内容】
【００１３】
上記目的は、光源からの光がレンズと入射側偏光板を通して液晶パネルモジュールに入射し、前記出射側偏光板を介してスクリーン上に画像を投影する液晶表示装置において、前記液晶パネルの光入射面と出射面の両面若しくは片面に前記液晶パネルの光透過領域よりも大きく、かつ光透過性を有する熱伝導部材を接触させ、前記液晶パネルを冷却することにより達成される。
また、上記目的は前記熱伝導部材の周囲に冷却媒体の流路を内部に有する冷却ジャケットを備えたことにより達成される。
また、上記目的は前記熱伝導部材の前記液晶パネルの光透過領域を除く周囲領域に、冷却媒体を流すための流路を設けたことにより達成される。
また、上記目的は前記液晶パネル部と、放熱部間に冷却媒体を循環させるためのポンプが配管接続され、前記放熱部を空冷することにより達成される。
また、上記目的は前記熱伝導部材の前記液晶パネルの光透過領域を除く領域に冷却用の複数枚のフィンを形成したことにより達成される。
また、上記目的は前記熱伝導部材の表面に偏光膜を付加したことにより達成される。
また、上記目的は前記冷却ジャケットと、前記熱伝導部材が高熱伝導率を有する接着材で接着されていることにより達成される。
また、上記目的は前記冷却ジャケットと、前記熱伝導部材が高熱伝導率物質層を介在させて接触していることにより達成される。
また、上記目的は前記高熱伝導率物質層が、シリコングリスまたはカーボンシートであることにより達成される。
また、上記目的は前記液晶パネルと、前記熱伝導部材の接触部に光透過性で空気より高熱伝導率な物質を介在させたことにより達成される。
また、上記目的は前記空気よりも高熱伝導率な物質が、シリコンオイル、シリコングリス、水、またはこれらの混合物若しくは透明プラスチックであることにより達成される。
また、上記目的は前記熱伝導部材の材質がサファイヤ若しくは水晶であることにより達成される。
また、上記目的は前記冷却ジャケットがアルミニウム若しくは銅で形成されていることにより達成される。
【手続補正書】
【提出日】平成18年6月28日(2006.6.28)
【手続補正１】
【補正対象書類名】特許請求の範囲
【補正対象項目名】全文
【補正方法】変更
【補正の内容】
【特許請求の範囲】
【請求項１】
ＣＰＵと主メモリと設備に関する設備データを記憶する記憶装置と入力部と表示部とを有し、前記入力部からのポインタの入力により前記表示部上において設備の配置に関する設計を行うための設備管理マッピングシステムにおいて、前記ポインタを用いて第１の管路の端点から延びる第２の管路を入力する方法であって、
前記設備データの記憶装置から取得した設備データと背景地図とを前記表示部に表示させ、前記端点から略前記第２の管路が延びる予定方向に前記ポインタを移動させた際に、前記ＣＰＵが、前記端点と前記ポインタの現在位置とを通る線と前記第１の管路との成す角度と、前記主メモリに記憶され前記端点に配置される部材に依存して用いられる角度テーブルであって、ある範囲内の角度を特定の角度として取り扱う角度テーブルと、により決められる仮想線を算出し、前記第２の管路の入力候補として前記表示部に表示することを特徴とするデータ入力方法。
【請求項２】
前記端点に設けられる部材の指定に応じて、複数の角度テーブルの中から適した角度テーブルが選択されることを特徴とする請求項１に記載のデータ入力方法。
【請求項３】
前記仮想線は、前記端点から延びるラバーバンドとして表示されることを特徴とする請求項１又は２に記載のデータ入力方法。
【請求項４】
入力管路の前記端点からの延長の長さと、始点からの総延長の長さとをリアルタイムに表示することを特徴とする請求項１から３までのいずれか１項に記載のデータ入力方法。
【請求項５】
ＣＰＵと、
主メモリと、
設備に関する設備データの記憶装置と、
管路と設備との配置を入力する入力装置と、
該入力装置によって入力された管路と設備とを表示する表示装置と、
前記主メモリに記憶され前記管路の曲がり箇所に配置される部材に依存して角度をある角度範囲にまるめる角度設定テーブルと、を有し、
前記設備データの記憶装置から取得した設備データと背景地図とを前記表示装置に表示させ、前記端点から略前記第２の管路が延びる予定方向に前記ポインタを移動させた際に、前記ＣＰＵが、前記端点の位置と前記ポインタの現在位置とを通る線と前記第１の管路との成す角度と、前記主メモリに記憶され前記端点に配置される部材に依存して用いられる角度テーブルであって、ある範囲内の角度を特定の角度として取り扱う角度テーブルと、により決められる仮想線を算出し、該前記第２の管路の入力候補として前記表示装置に表示することを特徴とする設備管理マッピングシステム。